(57)【要約】【課題】ユーザが特にコンテンツの持つ付帯情報を意識しなくても、当該コンテンツに付帯するメタデータを、情報抽出のための条件として設定することができる情報抽出装置を提供する。【解決手段】情報抽出装置は、アイコンにより概要表示されたコンテンツを表示する表示手段２と、コンテンツを表示手段２上で移動操作する操作手段３と、コンテンツ群より抽出条件を基にコンテンツを抽出する情報抽出手段（ＣＰＵ１）とを備える。また、移動操作の対象となった特定コンテンツの付帯情報と移動先の持つ情報より、情報抽出手段のための抽出条件を決定する抽出条件決定手段（ＣＰＵ１）を備える。【選択図】図１１
2008108200.tif 000002
【特許請求の範囲】
【請求項１】
アイコンにより概要表示されたコンテンツを表示する表示手段と、
前記コンテンツを前記表示手段上で移動操作する操作手段と、
複数の前記コンテンツからなるコンテンツ群より抽出条件を基に前記コンテンツを抽出する情報抽出手段と、
移動操作の対象となった特定コンテンツの付帯情報と移動先の領域が持つ情報より、前記情報抽出手段のための抽出条件を決定する抽出条件決定手段と、
を備えることを特徴とする情報抽出装置。
【請求項２】
情報抽出を行う際の母集合となる前記コンテンツ群は、前記特定コンテンツの移動操作の移動先となる領域に存在するコンテンツ群を対象とすることを特徴とする請求項１記載の情報抽出装置。
【請求項３】
情報抽出を行う際の母集合となる前記コンテンツ群は、前記特定コンテンツの移動操作の移動元となる領域に存在するコンテンツ群を対象とすることを特徴とする請求項１記載の情報抽出装置。
【請求項４】
前記表示手段上に、抽出条件の種類を指定する領域を設定する領域設定手段を備え、前記抽出条件決定手段は、前記特定コンテンツの移動先を当該領域内とすることで、前記特定コンテンツの付帯情報の中から抽出条件の種類に対応した抽出条件を特定することを特徴とする請求項１乃至請求項３の何れかに記載の情報抽出装置。
【請求項５】
前記抽出条件決定手段は、抽出条件の種類を指定する領域内の更に特定領域への移動により、前記特定コンテンツの対応した抽出条件との一致あるいは不一致が判定可能な論理関係式の指定を行い、当該論理関係式の判定結果を情報抽出の際の条件とすることを特徴とする請求項４記載の情報抽出装置。
【請求項６】
前記抽出条件決定手段は、抽出条件の種類を指定する領域内の更に特定領域への移動により、前記特定のコンテンツの対応した抽出条件との数値的な近似関係の判定、または数値的な大小関係の判定が可能な条件式の指定を行い、当該条件式の判定結果を情報抽出における条件とすることを特徴とする請求項４記載の情報抽出装置。
【請求項７】
情報抽出を行う際の母集合が存在する領域から前記コンテンツを外に出す操作について、当該領域からの情報抽出における除外条件の指定とすることを特徴とする請求項４乃至請求項６の何れかに記載の情報抽出装置。
【請求項８】
情報抽出を行う際の母集合が存在する領域の外から内に前記コンテンツを入れる操作について、当該領域への情報抽出における追加条件の指定とすることを特徴とする請求項４乃至請求項６の何れかに記載の情報抽出装置。
【請求項９】
情報抽出を行う際の母集合となる前記コンテンツ群の中より、当該母集合を大きく２分割することが可能となる抽出条件の種類を付帯情報より検出する検出手段と、
前記検出手段により検出された抽出条件の種類について、表示画面上の抽出条件の種類を指定する領域に割り当てる割り当て手段と、
を備えることを特徴とする請求項４乃至請求項８の何れかに記載の情報抽出装置。
【請求項１０】
前記操作手段は、前記情報抽出手段により母集合から抽出された前記コンテンツを、移動操作が行われた前記特定コンテンツの移動先の領域に移動することを特徴とする請求項４乃至請求項９の何れかに記載の情報抽出装置。
【請求項１１】
アイコンにより概要表示されたコンテンツを表示する表示ステップと、
前記コンテンツを前記表示ステップ上で移動操作する操作ステップと、
複数の前記コンテンツからなるコンテンツ群より抽出条件を基に前記コンテンツを抽出する情報抽出ステップと、
移動操作の対象となった特定コンテンツの付帯情報と移動先の領域が持つ情報より、前記情報抽出ステップのための抽出条件を決定する抽出条件決定ステップと、
を備えることを特徴とする情報抽出方法。
【請求項１２】
アイコンにより概要表示されたコンテンツを表示する表示モジュールと、
前記コンテンツを前記表示モジュール上で移動操作する操作モジュールと、
複数の前記コンテンツからなるコンテンツ群より抽出条件を基に前記コンテンツを抽出する情報抽出モジュールと、
移動操作の対象となった特定コンテンツの付帯情報と移動先の領域が持つ情報より、前記情報抽出モジュールのための抽出条件を決定する抽出条件決定モジュールと、
をコンピュータに実行させることを特徴とする情報抽出プログラム。
【請求項１３】
請求項１２記載の情報抽出プログラムを格納するコンピュータ読み取り可能な記憶媒体。
【発明の詳細な説明】
【技術分野】
【０００１】
本発明は、情報抽出装置及び方法、並びにプログラム及び記憶媒体に関し、特に、アイコンデータに対するＵＩ操作により、情報の抽出条件、及び除外条件を設定可能な情報抽出装置及び方法、並びにプログラム及び記憶媒体に関する。
【背景技術】
【０００２】
従来、多くのデータの中から必要なデータを抽出するための情報抽出装置においては、当該データに直接含まれる情報キーワードを指定し、あるいはデータに付随する各種メタデータに含まれる情報キーワードを指定することで、必要な情報を抽出していた。
【０００３】
また、上述の情報キーワードは、データに直接含まれるものの場合は、任意のキーワード、そして各種メタデータに含まれる情報キーワードについては、指定するメタデータの種類に応じて任意、あるいは定められたキーワードとなっていた。
【０００４】
また、メタデータ中の情報キーワードについて、複数の情報キーワードを指定する際には、それぞれの情報キーワードの重み付けなど考慮し、点数付けによる情報抽出も行われていた。従って、多くのデータの中から、ユーザが効率良く情報の抽出を行うには、適切な情報キーワードの選択、適切な情報分類、そして適切な重み付けが重要なポイントとなっていた。
【０００５】
この様な情報キーワードの適切な選択や、データ分類のための適切な視点、更には適切な重み付けをユーザに提供するために、以下に示す幾つかの技術が開示されている。
【０００６】
特許文献１は、当初の検索結果に対して、絞り込みを行うためのラベルを自動抽出し、これをユーザに提示可能な技術を提案している。
【０００７】
ユーザが当該ラベルを選択することで、予め情報キーワードとなるラベル情報を知らなくても、効率的な絞り込みが行われる。また、当該ラベルの適切な選択を繰り返すことにより、ユーザが必要とする適切な情報が得られる。
【０００８】
特許文献２には以下の技術が示される。検索者が検索対象となるデータを閲覧する際に、当該データの持つ用意された分類視点に基づいてデータを表示する。この時、ユーザが視点を切り替えることで、それぞれの視点における検索分類結果が動的に変化する。
【０００９】
従って、ユーザが逐次視点を切り替えて効率的な選択を行うことで、短時間で絞り込みを行うことが可能となる。また、この時、検索者が気づいていない新たな視点も提供することができる。
【００１０】
特許文献３には以下の技術が示される。検索キーワードとして設定された検索要求アイテムが入力されると、他の検索要求アイテムの類似度と、検索対象アイテムとの類似度に応じて、検索対象アイテムを中心として配置された表示が行われる。
【００１１】
更には、検索結果として不要なものを目的の検索対象アイテムから遠ざけるように移動させると、遠ざけた検索対象アイテムと類似度の大きなアイテムもそれぞれの類似度に応じて中央から離れる方向に移動する。その結果、検索結果として不要なものは検索対象アイテムから遠ざけられる様に表示が行われ、目的のアイテムのみが選択しやすくなる。
【００１２】
また、今日一般家庭においては、映像コンテンツデータの数が急速に増えつつあり、同時に映像コンテンツデータに対する情報抽出の要求も増えつつある。当該コンテンツデータにおいては、撮影日時や撮影機材など、情報抽出のためのメタデータも充実している。
【００１３】
しかしながら、ユーザが最終的に目的の映像コンテンツデータを抽出する場合には、上述の情報キーワードに加えて、コンテンツの概略を表記したサムネール情報も利用し、即ち、ユーザによる視覚検索も併用して行われる場合が多かった。
【特許文献１】特開２００３−３４５８２９号公報
【特許文献２】特開平０８−０４４７５９号公報
【特許文献３】特開平０８−３３９３７５号公報
【発明の開示】
【発明が解決しようとする課題】
【００１４】
しかし、上述の情報抽出装置においては、適切な情報キーワードを選択し、これを適切に組み合わせない限りは、ユーザの望む適切な情報の抽出は実現できず、また抽出されたとしても、その数が膨大となる場合が多かった。また、適切な情報キーワードの選択に誤ると、適切な数の抽出情報となったにも関わらず、ユーザの必要とする肝心の情報が得られない場合も多かった。
【００１５】
また、特許文献１記載の技術は、ユーザに提示可能なラベルは自動抽出されるものであり、それぞれのラベルに対応するデータとの関係がユーザにとって不明確であった場合や、提示されたラベルの数が多い場合などはラベルの選択に失敗する場合があった。また、自動抽出されるラベルは、情報キーワードの有無に対応するものであり、メタデータ項目に対応するパラメータの指定などはできないという問題点があった。
【００１６】
また、特許文献２記載の技術は、ユーザが対象となるデータについて、絞り込むための視点が明確になっていない場合には、絞り込みによる抽出が効率的でないばかりか、そもそも目的のデータを抽出できないという問題点があった。更に、提供される視点については、上述の例と同様、情報キーワードの有無に対応するものであり、メタデータ項目に対応するパラメータの指定はできないという問題点があった。
【００１７】
また、特許文献３記載の技術においては、ユーザのアイテムに対する移動操作による結果は、ユーザが直接知ることのできない類似度によって左右される。また、その移動操作の距離は、アイテムを見易くするための操作となり、パラメータなどを指定するといった意味のある操作では有り得なかった。
【００１８】
また、移動の方向にあっては、現在の表示位置が類似度に依存しているために、ユーザの感覚とは異なる移動操作と成り得るという問題点があった。更には、映像コンテンツなど、サムネールの目視によるユーザの視覚検索についても、その数が多い場合には、全く非効率的なものであった。
【００１９】
本発明の目的は、ユーザが特にコンテンツの持つ付帯情報を意識しなくても、当該コンテンツに付帯するメタデータを、情報抽出のための条件として設定することができる情報抽出装置及び方法、並びにプログラム及び記憶媒体を提供することにある。
【課題を解決するための手段】
【００２０】
上記目的を達成するために、請求項１記載の情報抽出装置は、アイコンにより概要表示されたコンテンツを表示する表示手段と、前記コンテンツを前記表示手段上で移動操作する操作手段と、複数の前記コンテンツからなるコンテンツ群より抽出条件を基に前記コンテンツを抽出する情報抽出手段と、移動操作の対象となった特定コンテンツの付帯情報と移動先の領域が持つ情報より、前記情報抽出手段のための抽出条件を決定する抽出条件決定手段とを備えることを特徴とする。
【００２１】
請求項１１記載の情報抽出方法は、アイコンにより概要表示されたコンテンツを表示する表示ステップと、前記コンテンツを前記表示ステップ上で移動操作する操作ステップと、複数の前記コンテンツからなるコンテンツ群より抽出条件を基に前記コンテンツを抽出する情報抽出ステップと、移動操作の対象となった特定コンテンツの付帯情報と移動先の領域が持つ情報より、前記情報抽出ステップのための抽出条件を決定する抽出条件決定ステップとを備えることを特徴とする。
【００２２】
請求項１２記載の情報抽出プログラムは、アイコンにより概要表示されたコンテンツを表示する表示モジュールと、前記コンテンツを前記表示モジュール上で移動操作する操作モジュールと、複数の前記コンテンツからなるコンテンツ群より抽出条件を基に前記コンテンツを抽出する情報抽出モジュールと、移動操作の対象となった特定コンテンツの付帯情報と移動先の領域が持つ情報より、前記情報抽出モジュールのための抽出条件を決定する抽出条件決定モジュールとをコンピュータに実行させることを特徴とする。
【００２３】
請求項１３記載のコンピュータ読み取り可能な記憶媒体は、請求項１２記載の情報抽出プログラムを格納する。
【発明の効果】
【００２４】
本発明の情報抽出装置は、アイコンにより概要表示されたコンテンツを表示する表示手段と、コンテンツを表示手段上で移動操作する操作手段と、コンテンツ群より抽出条件を基にコンテンツを抽出する情報抽出手段とを備える。また、移動操作の対象となった特定コンテンツの付帯情報と移動先の持つ情報より、情報抽出手段のための抽出条件を決定する抽出条件決定手段を備える。
【００２５】
従って、ユーザが特にコンテンツの持つ付帯情報を意識しなくても、該コンテンツのアイコンに対する移動操作を行うことにより、当該コンテンツに付帯するメタデータを、情報抽出のための条件として設定することが可能となる。
【発明を実施するための最良の形態】
【００２６】
以下、本発明の実施の形態を図面を参照しながら詳細に説明する。
【００２７】
（第１の実施の形態）
図１は、本発明の第１の実施の形態に係る情報抽出装置における情報抽出操作の際の表示画面を示す図である。
【００２８】
図１において、情報抽出を行う対象を格納するフォルダ１０１は、本発明による情報抽出を行う元の母集合となるコンテンツ群１０６を格納しておく場所となる。また、個々のコンテンツは、本フォルダ１０１上においては、それぞれのコンテンツの概要を示す代表アイコンとして表示されている。
【００２９】
即ち、本実施の形態においては、アイコンに対する抽出操作は、コンテンツに対する抽出操作と等しい。尚、該当母集合は、ユーザが求めている特定のコンテンツを明らかに含む集合であり、ここでは、その数がアイコンの目視による検索では特定不可能な数からなるコンテンツの集合である。
【００３０】
また、母集合となるコンテンツ群１０６は、本システムにおいて、何らかの一時抽出が行われた結果のコンテンツ群でも良く、また、本システムに格納されている全てのコンテンツであっても良い。また、表示画面には、それぞれ異なる抽出除外条件であるＡ乃至Ｄまでを指定するための抽出除外条件指定領域１０２乃至１０５が表示される。
【００３１】
図２は、図１の表示画面上における抽出操作を説明する図である。
【００３２】
具体的には、ユーザによるコンテンツの移動操作により、抽出対象フォルダからの抽出除外条件対象としたコンテンツの選択と、当該コンテンツの持つ付帯情報の内、抽出除外条件の種類を指定する動作を説明する図である。
【００３３】
図２において、ユーザが選択した抽出対象フォルダの中にあるコンテンツ２０８は、ユーザが当該フォルダの中から抽出したいものとは異なるコンテンツの情報を持つものである。また、ユーザの行うコンテンツに対する移動操作を表すイメージ図２０７、上述のユーザが選択したコンテンツ２０８が移動された後の移動コンテンツ２０９が示される。
【００３４】
即ち、ユーザは、抽出対象フォルダ内のコンテンツから、除外したいコンテンツ２０８を選択し、そのコンテンツ２０８の持つ付帯情報の内、抽出除外条件としたい種類を指定するための領域２０２へ移動操作を行う。
【００３５】
符号２０１乃至２０６は、図１の符号１０１乃至１０６と対応する。図３以下も同様である。
【００３６】
図３は、図２の抽出操作の結果を示す図である（その１）。
【００３７】
図３において、ユーザが移動操作を行ったコンテンツ３０６が表示される。領域３０２に存在するコンテンツ３０６以外のコンテンツ３０７は、図２における移動操作が完了したことにより、本実施の形態において後述される動作により、領域３０２に移動させられたものである。
【００３８】
図４は、図２の抽出操作の結果を示す図である（その２）。
【００３９】
具体的には、図２から図３における抽出除外対象の選択とその条件指定を、抽出対象フォルダ４０１内のコンテンツの、各抽出除外条件指定領域４０２乃至４０４への移動操作として実行し、これを繰り返した結果を示したものである。
【００４０】
図４において、抽出対象フォルダから除外されたコンテンツが極僅かとなったため、ユーザが目的のコンテンツを選択することが可能となった状態を示すものである。
【００４１】
図５は、本発明の第１の実施の形態に係る情報抽出装置によって実行される情報抽出処理の手順を示すフローチャートである。
【００４２】
図５において、ユーザによる抽出対象フォルダからのコンテンツの移動操作が行われた際の処理が開始される。まず、移動操作に関連する情報を取得する（ステップＳ５０１）。続いて、上述の移動操作に関連する操作からそれぞれ必要な情報を取得する（ステップＳ５０２乃至ステップＳ５０４）。
【００４３】
次に、移動操作が行われたコンテンツに移動先である抽出除外条件指定領域に対応する条件種類が存在するか否かを判定する（ステップＳ５０５）。ここで、移動先の領域に対応する条件の種類が移動されたコンテンツに存在しなかった場合にはステップＳ５０６に進み、コンテンツの移動操作自体を取り消して、処理を終了する。
【００４４】
また、ステップＳ５０５において、対応する条件の種類が存在する場合にはステップＳ５０７に進み、コンテンツに存在する上記条件の種類に対応する付帯情報を特定する。当該付帯情報を基に、抽出対象フォルダにあるコンテンツ群から除外条件となる条件に基づき、抽出が実行される（ステップＳ５０８）。
【００４５】
次に、ステップＳ５０８における抽出の結果が存在するか否かを判定する（ステップＳ５０９）。結果が存在しない場合には、処理を終了する。また、結果が存在する場合には当該抽出結果に基づき対応コンテンツのリストを作成し、コンテンツの特定を行う（ステップＳ５１０）。続いて、特定されたリストコンテンツについて、対応する抽出除外条件指定領域への移動を行い（ステップＳ５１１）、処理を終了する。
【００４６】
図６は、本発明の第１の実施の形態に係る情報抽出装置におけるコンテンツの持つ付帯情報を示す図である。
【００４７】
図６において、付帯データの項目名７０１、項目名に対応するデータ７０２を示す。当該コンテンツにおいては、付帯データの項目として、コンテンツ種類、ジャンル、作成日時、及び作成機器に関する情報が存在している。
【００４８】
以下、図１乃至図６を用いて、第１の実施の形態を更に詳細に説明する。
【００４９】
図１の本情報抽出装置の表示画面には、ここでは詳細を説明しないウィンドウシステムにより、アイコン化されたコンテンツ、フォルダ、及び、識別可能な領域が表示されている。また、当該画面上では、ユーザのポインティングデバイス操作により、アイコン化されたコンテンツの該画面上における移動操作が可能となっている。
【００５０】
ユーザは特定のコンテンツを探す目的で、該コンテンツが含まれていることが確実なコンテンツ群を事前に抽出し、図１の抽出対象フォルダに当該コンテンツ群を格納している。ここで当該コンテンツ群は、それぞれのコンテンツの概要を表したアイコンとして表示画面上に存在している。
【００５１】
図１の画面において、ユーザは、数年前に撮影したプライベートの写真コンテンツを探しているものとする。ここでユーザは情報抽出装置に存在する全ての情報から、映像コンテンツのみを抽出し、これを抽出対象フォルダに格納する。即ち、文書データなど、明らかに目的のコンテンツを異なるコンテンツに関してはここでは既に除外されているものとする。
【００５２】
また、図１の抽出対象フォルダに存在しているコンテンツはアイコン化されているために、ユーザはその内容の概要を把握することが可能な状態にある。ここで、ユーザは抽出対象フォルダに存在しているコンテンツの中から、明らかに探しているコンテンツとは異なるアイコンを目視で選択を行うことになる。
【００５３】
次に、図２において、ユーザが探しているコンテンツは写真コンテンツであるが、目に付いたアイコン（コンテンツ）２０８は、ユーザの記憶から、明らかに動画コンテンツのものである。この結果、ユーザは、当該目に付いたコンテンツは確実に除外して良いコンテンツと判断する。
【００５４】
次にユーザは、当該コンテンツの付帯情報の項目において、コンテンツが動画データであるか写真データであるかを識別するためのコンテンツ種類を判断する。即ち、コンテンツ２０８について、抽出対象フォルダ２０１からの除外を決定すると同時に、当該除外のための条件としてコンテンツ種類を抽出除外条件として指定するために、当該コンテンツを領域２０２に移動する。
【００５５】
この時、本情報抽出装置においては、抽出対象フォルダから抽出除外条件指定領域への移動を検知し、図５の処理が起動される。
【００５６】
図５においては、上記のユーザの操作によりステップＳ５０１からの処理が開始される。ステップＳ５０１においては、先の移動操作に関連する情報が取得され、ステップＳ５０２及びステップＳ５０３ではそれぞれ、コンテンツ２０８の情報、及び、当該コンテンツに付帯する情報が取得される。図６はコンテンツ２０８に付帯する情報を表に表したものである。
【００５７】
ステップＳ５０３では、当該コンテンツの移動先の情報である抽出除外条件として「コンテンツ種類」が取得される。ステップＳ５０５では、コンテンツ２０８の付帯情報の中に、「コンテンツ種類」の項目が存在するか否かが判定され、ここでは「コンテンツ種類」の情報が存在するためにステップＳ５０７へと進む。
【００５８】
ステップＳ５０７では、抽出除外条件として、図６の「コンテンツ種類」に対応するコンテンツ２０８の持つデータである「動画コンテンツ」が特定される。ステップＳ５０８では抽出対象フォルダ２０１に含まれるコンテンツの中から、「コンテンツ種類」項目に「動画コンテンツ」を含むコンテンツの抽出が実行される。
【００５９】
ステップＳ５０９では、抽出の結果が存在するか否かが判定され、ここでは抽出結果が存在したために、ステップＳ５１０で当該抽出されたコンテンツのリストが作成される。次にステップＳ５１１において、当該リストのコンテンツについて、先の抽出除外条件指定領域２０２への移動が行われ、処理を終了する。
【００６０】
図３は、図５の処理が終了した際の本情報抽出装置の表示画面を示したものである。ここで、抽出対象フォルダ３０１に存在したいくつかのコンテンツは、抽出除外条件指定領域３０２に移動している。以下、ユーザは、抽出対象フォルダ３０１に残ったコンテンツについて、明らかに目的のコンテンツとは異なるコンテンツを選択し、移動を繰り返すことができる。
【００６１】
例えば、目に付いたコンテンツの「ジャンル」項目が「プライベート」では無いものについては、抽出除外条件指定領域３０３に、また、「作成日時」が明らかに目的のものより古いものについては抽出除外条件指定領域３０４に移動することができる。これらの移動操作を行うことで、その都度、図５の処理が実行され、それぞれ移動を行ったコンテンツと同じ付帯情報の情報を持つコンテンツについては、移動処理が実行される。
【００６２】
図４は、上記の移動操作を繰り返した際の本発明による情報抽出装置の表示画面を示したものである。ユーザは上記の移動操作を繰り返し、図４に示すような結果を得ることで、容易に目的のコンテンツを選択することが可能となる。
【００６３】
以上説明した様に、本実施の形態の構成によれば、図２から図３に示す様な、移動操作を繰り返すことで、除外したコンテンツと同じ条件のコンテンツについても抽出対象フォルダから同時に除外することができるものである。
【００６４】
即ち、抽出対象フォルダの中に存在するコンテンツの数を効率良く減らすことができ、その結果、図４に示す如く、抽出対象フォルダにおいては、数個のコンテンツしか存在しない状態にすることが容易である。この状態においては、ユーザは目的のコンテンツを目視においても簡単に見つけることが可能な状態となるものである。
【００６５】
（第２の実施の形態）
上述の第１の実施の形態においては、明らかに抽出対象から除外可能なコンテンツについて、抽出対象フォルダから抽出除外条件指定領域に移動することで、抽出対象フォルダの内容を効率良く減らす構成とした。ここで、逆に抽出対象フォルダへの抽出条件を追加する構成を設けても良い。
【００６６】
即ち、第２実施の形態の構成においては、ユーザの操作ミス、あるいは勘違いにより、移動して欲しくないコンテンツが抽出対象フォルダの外に存在していることが確認された場合を考える。
【００６７】
ある時、ユーザは、図４の抽出除外条件指定領域において、明らかに除外して欲しく無い、目的のコンテンツと極めて条件の近いコンテンツを発見したとする。この場合、このまま抽出対象フォルダから抽出除外条件指定領域へのコンテンツの移動を繰り返しても目的のコンテンツを抽出することは困難であることが予想される。この場合、目的のコンテンツと極めて条件の近いコンテンツについて、抽出除外条件指定領域から抽出対象フォルダへの移動操作を行うことが可能な構成とする。
【００６８】
図７は、本発明の第２の実施の形態に係る情報抽出装置における情報抽出操作を説明する図である。
【００６９】
具体的には、抽出除外条件指定領域に存在するコンテンツ８１１について、ユーザが抽出対象フォルダ８０１への移動操作を行った際の表示画面を示した図である。
【００７０】
図８は、本発明の第２の実施の形態に係る情報抽出装置によって実行される情報抽出処理の手順を示すフローチャートである。
【００７１】
具体的には、上述の図５の操作とは逆の、抽出除外条件指定領域から抽出対象フォルダへのコンテンツの移動操作が行われた際に行われる処理の動作を示すフローチャートである。
【００７２】
図８において、ユーザによる抽出除外条件指定領域から抽出対象フォルダへのコンテンツの移動操作が行われた際の処理が開始される。まず、当該移動操作に関する情報を取得する（ステップＳ６０１）。そしても上述の移動操作に関連する操作からそれぞれ必要な情報を取得する（ステップＳ６０２乃至ステップＳ６０４）。コンテンツに存在する移動元の領域において指定されていた条件種類に対応する付帯情報を特定する（ステップＳ６０５）。
【００７３】
次に、移動元の領域以外の抽出除外条件指定領域に存在するコンテンツ全てのリストを作成し（ステップＳ６０６）、これより当該条件種類に対応する付帯情報を条件として、抽出が実行される（ステップＳ６０７）。続いて、当該抽出の結果が存在するか否かが判定され（ステップＳ６０８）、存在しなかった場合には処理を終了する。
【００７４】
また上記において、抽出結果が存在する場合には、当該抽出結果に基づき対応コンテンツのリストを作成し、コンテンツの特定を行う（ステップＳ６０９）。次に、特定されたリストコンテンツについて、抽出対象フォルダへの移動を行い（ステップＳ６１０）、処理を終了する。
【００７５】
図９は、本発明の第２の実施の形態に係る情報抽出装置におけるコンテンツの持つ付帯情報を示す図である。
【００７６】
図９において、付帯データの項目名９０１、項目名９０１に対応するデータ９０２を示す。当該コンテンツにおいては、付帯データの項目として、コンテンツ種類、ジャンル、作成日時、及び作成機器に関する情報が存在している。
【００７７】
以下、図７乃至図９を用いて、本実施の形態を更に詳細に説明する。
【００７８】
図７の表示画面においては、抽出対象フォルダから抽出除外条件指定領域への移動操作が幾度か行われ、その結果、抽出対象フォルダにはユーザが目視で一覧できる範囲のコンテンツのみ存在している状態とする。
【００７９】
この時、当該抽出対象フォルダには、本来存在するはずの目的とするコンテンツが存在せず、尚且つ、抽出除外条件指定領域において、ユーザの目的とするコンテンツに極めて近い条件のコンテンツが発見されている。
【００８０】
この状態において、ユーザは、当該目的とするコンテンツに極めて近い条件のコンテンツについて、抽出対象フォルダに移動する操作を行う。当該操作を行うことで、図８のフローチャートに示す処理が開始される。
【００８１】
図８においては、上記のユーザの操作により処理が開始される。ステップＳ６０１においては、先の移動操作に関する情報が取得され、ステップＳ６０２及びステップＳ６０３ではそれぞれコンテンツ８１１の情報、及び、当該コンテンツに付帯する情報が取得される。
【００８２】
図９はコンテンツ８１１に付帯する情報を表に表したものである。ステップＳ６０４では、当該コンテンツの移動元（領域）８０３の情報である抽出除外条件として「ジャンル」が取得される。
【００８３】
ステップＳ６０５では、コンテンツ８１１において、抽出除外条件となった「ジャンル」項目に対応するデータ「趣味」が、抽出対象フォルダ８０１に対する抽出追加条件として特定される。ステップＳ６０６では、抽出対象フォルダ以外の領域にあるコンテンツのリストが作成され、ステップＳ６０７において、当該リストのコンテンツを基に、「ジャンル」項目が「趣味」であるコンテンツの抽出が行われる。
【００８４】
ステップＳ６０８においては、上記の抽出の結果が存在するか否かが判定され、存在しない場合には処理が終了する。また、ステップＳ６０８において、抽出結果が存在すると判定された場合には、ステップＳ６０９において、当該抽出結果のリストが作成され、ステップＳ６１０において、当該リストのコンテンツが抽出対象フォルダに移動される。
【００８５】
本実施の形態によれば、ユーザが操作ミスや勘違いにより、抽出対象フォルダから抽出除外条件指定領域への誤った移動操作が行われた際にも、操作ミスや勘違いによる抽出除外条件の指定操作を、対応する抽出除外条件について、やり直すことが可能となる。また、抽出除外条件の指定と、本実施の形態の構成による抽出条件の追加を自在に繰り返すことで、より自由度の高い、情報抽出を行うことが可能となる。
尚、本実施の形態においては、ステップＳ６０６において、すべての抽出除外条件指定領域にあるコンテンツのリストを作成し、ステップＳ６０７の抽出を行う対象とした。しかし、コンテンツ８１１が表示されていた抽出除外条件指定領域のみにあるコンテンツのリストを作成するようにしても良い。
【００８６】
この様な構成とすることで、ユーザの操作ミスや勘違いにより行われた操作が、特定の抽出除外条件指定領域に関するものである場合には、抽出対象フォルダに戻すコンテンツの数を少なくし、目的のコンテンツを探すための操作を少なくすることができる。
【００８７】
（第３実施の形態）
上述の第１の実施の形態及び第２の実施の形態においては、抽出除外条件を設定する際に、コンテンツの持つ付帯情報における項目名とそのデータをその条件とし、抽出時は当該条件の一致あるいは不一致により判断を行っていた。
【００８８】
これに対して本実施の形態は、コンテンツの持つ付帯情報におけるその数値情報に注目し、これの数値的大小を示す抽出除外条件指定領域を設け、数値的な範囲及び方向性を条件に設定可能としたものである。
【００８９】
図１０は、本発明の第３の実施の形態に係る情報抽出装置における情報抽出操作の際の表示画面を示す図である。
【００９０】
図１０において、抽出除外条件としてコンテンツのサイズを条件として指定する領域１００４内に、更にコンテンツのサイズとの数値的な比較を条件として設定可能な領域（１００４−１、１００４−２、１００４−３）を設けたものである。
【００９１】
この様な構成とすることで、ユーザは抽出対象フォルダに存在するコンテンツから、確実にそのサイズの大小関係を認識しているコンテンツを基に、数値情報を入力すること無しに、条件を設定することが可能となる。
【００９２】
尚、本実施の形態においては、抽出条件となる数値情報としてコンテンツのサイズ情報を挙げたが、他にコンテンツの付帯情報になる数値情報を持つ項目を用いても良いことは言うまでもない。また、本実施の形態においては、情報が１次元的に存在し、その順番を条件判定することが可能な情報であれば数値情報に限らず利用することができる。
【００９３】
（第４実施の形態）
上述の第１実施の形態乃至第３実施の形態においては、情報抽出装置の表示画面に設定された抽出除外条件指定領域に対応する項目は、予め設定されているものであった。
【００９４】
これに対して本実施の形態においては、ユーザが始めに抽出対象フォルダに用意したコンテンツ群について、それぞれが持つ付帯情報の中身を走査する手段を設けるものである。更に、当該付帯情報の持つ項目の中から、該コンテンツ群を大きく分割することが可能となる付帯情報の項目を検出し、これを抽出除外条件指定領域の条件指定項目とする手段を設けるものである。
【００９５】
この様な構成とすることで、ユーザは抽出除外条件となる項目名について、確実に除外したいコンテンツを選択し、これを繰り返すことで、抽出対象フォルダ内のコンテンツについて効率良く削減していくことが可能となる。
【００９６】
上述の各実施の形態においては、抽出対象フォルダを中心に、四方に抽出除外条件指定領域を設けたが、四方より少なく、あるいは多くの抽出除外条件指定領域を設けても差し支えない。
【００９７】
また、抽出除外条件指定領域について、抽出対象フォルダの周囲に存在する別のフォルダとして表示し、コンテンツを相互に選択して移動することで、それぞれのフォルダ内のコンテンツについて、より条件の純度の高い集合とすることが可能である。
【００９８】
図１１は、本発明の情報抽出装置の機能ブロックを概略的に示す図である。
【００９９】
図１１において、情報処理装置は、ＣＰＵ１を中心に、表示手段２、操作手段３、ＲＡＭ４及びＲＯＭ５から構成される。ここで、ＣＰＵ１は、請求範囲に記載した各手段を実現する。
【０１００】
また、本発明の目的は、システム又は装置のコンピュータ（又はＣＰＵやＭＰＵなど）が記憶媒体に格納されたプログラムコードを読み出して実行することによっても達成される。その場合、実施の形態の機能を実現するソフトウェアのプログラムコードを記録した記憶媒体を、システムまたは装置に供給する。
【０１０１】
この場合、記憶媒体から読み出されたプログラムコード自体が上述した実施の形態の機能を実現することになり、そのプログラムコード及び該プログラムコードを記憶した記憶媒体は本発明を構成することになる。
【０１０２】
また、プログラムコードを供給するための記憶媒体としては、例えば、フロッピー（登録商標）ディスク、ハードディスク、光磁気ディスクなどがある。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることもできる。又は、プログラムコードをネットワークを介してダウンロードしてもよい。
【０１０３】
また、コンピュータ上で稼動しているＯＳ（オペレーティングシステム）などが実際の処理の一部又は全部を行い、その処理によって上述した実施の形態の機能が実現される場合も含まれる。その場合、コンピュータが読み出したプログラムコードをＯステップＳなどが実行することにより、そのプログラムコードの指示に基づき実現される。
【０１０４】
更に、機能拡張ボードや機能拡張ユニットに備わるＣＰＵなどが実際の処理の一部又は全部を行い、その処理によって上述した実施の形態の機能が実現される場合も含まれる。その場合、記憶媒体から読み出されたプログラムコードが、コンピュータに挿入された機能拡張ボードやコンピュータに接続された機能拡張ユニットに備わるメモリに書き込まれた後、そのプログラムコードの指示に基づき実現される。
【図面の簡単な説明】
【０１０５】
【図１】本発明の第１の実施の形態に係る情報抽出装置における情報抽出操作の際の表示画面を示す図である。
【図２】図１の表示画面上における抽出操作を説明する図である。
【図３】図２の抽出操作の結果を示す図である（その１）。
【図４】図２の抽出操作の結果を示す図である（その１）。
【図５】本発明の第１の実施の形態に係る情報抽出装置によって実行される情報抽出処理の手順を示すフローチャートである。
【図６】本発明の第１の実施の形態に係る情報抽出装置におけるコンテンツの持つ付帯情報を示す図である。
【図７】本発明の第２の実施の形態に係る情報抽出装置における情報抽出操作を説明する図である。
【図８】本発明の第２の実施の形態に係る情報抽出装置によって実行される情報抽出処理の手順を示すフローチャートである。
【図９】本発明の第２の実施の形態に係る情報抽出装置におけるコンテンツの持つ付帯情報を示す図である。
【図１０】本発明の第３の実施の形態に係る情報抽出装置における情報抽出操作の際の表示画面を示す図である。
【図１１】本発明の情報抽出装置の機能ブロックを概略的に示す図である。
【符号の説明】
【０１０６】
１  ＣＰＵ
２  表示手段
３  操作手段
４  ＲＡＭ
５  ＲＯＭ
１０１  抽出対象フォルダ
１０２  抽出除外条件指定領域（抽出除外条件Ａ）
１０３  抽出除外条件指定領域（抽出除外条件Ｂ）
１０４  抽出除外条件指定領域（抽出除外条件Ｃ）
１０５  抽出除外条件指定領域（抽出除外条件Ｄ）
１０６  コンテンツ群
【図１】
2008108200.tif 000003
【図２】
2008108200.tif 000004
【図３】
2008108200.tif 000005
【図４】
2008108200.tif 000006
【図５】
2008108200.tif 000007
【図６】
2008108200.tif 000008
【図７】
2008108200.tif 000009
【図８】
2008108200.tif 000010
【図９】
2008108200.tif 000011
【図１０】
2008108200.tif 000012
【図１１】
2008108200.tif 000013